(57)【要約】【課題】従来、苗植付装置が上下方向に往復動して圃場に苗を植付ける苗移植機があるが、操縦ハンドルは走行部に固定された構成となっており、ハウス内での移植作業において、ハウス壁面や支柱付近で移植作業をする場合に、操縦操作がし難いものであった。この発明は、ハウス内のような狭い圃場で移植作業を行う場合に、作業性が良い苗移植機を提供することを課題とする。【解決手段】走行車輪２を装備した走行部１ａの後部に操縦ハンドル６を設け、該操縦ハンドル６の前方に圃場に苗を移植する苗植付装置５を設けた苗移植機において、該苗植付装置５の苗植付具４２若しくは苗植付具４２付近を回動中心として操縦ハンドル６を機体側方に向けて回動及び固定自在に設けた苗移植機。【選択図】図１
2009284797.tif 000002
【特許請求の範囲】
【請求項１】
走行車輪（２）を装備した走行部（１ａ）の後部に操縦ハンドル（６）を設け、該操縦ハンドル（６）の前方に圃場に苗を移植する苗植付装置（５）を設けた苗移植機において、該苗植付装置（５）の苗植付具（４２）若しくは苗植付具（４２）付近を回動中心として操縦ハンドル（６）を機体側方に向けて回動及び固定自在に設けたことを特徴とする苗移植機。
【請求項２】
回動する操縦ハンドル（６）側に苗供給装置（４）と該苗供給装置（４）に載置された苗トレイ（Ｔ）から苗を取出して苗植付具（４２）内に苗を供給する苗取装置（４３）を設け、苗取装置（４３）が苗植付具（４２）内に苗を供給する位置が操縦ハンドル（６）の回動中心と一致するか若しくは回動中心付近であることを特徴とする請求項１記載の苗移植機。
【請求項３】
走行部（１ａ）の前部に走行部ミッションケース（７）を設け、該走行部ミッションケース（７）に植付部ミッションケース（３０）を固定し、該植付部ミッションケース（３０）の後方に原動機（９）を設けたことを特徴とする請求項１または請求項２記載の苗移植機。
【発明の詳細な説明】
【技術分野】
【０００１】
この発明は、野菜等の苗を圃場に植付ける苗移植機に関する。
【背景技術】
【０００２】
この種従来例としては、苗取装置にて苗載台から苗を取出して苗植付装置に移送し、該苗植付装置が上下方向に往復動して圃場に苗を植付ける苗移植機がある。
【特許文献１】特開２００１−５７８０５号公報
【発明の開示】
【発明が解決しようとする課題】
【０００３】
上記従来の苗移植機は、走行部に対して苗供給装置や苗取装置が所定の位置で作動し、操縦ハンドルは走行部に固定された構成となっており、ハウス内で移植作業を行う場合にハウス壁面や支柱付近で移植作業をする場合に、作業性が悪いものであった。この発明は、ハウス内のような狭い圃場で移植作業を行う場合に、作業性が良い苗移植機を提供することを課題とする。
【課題を解決するための手段】
【０００４】
この発明は、上記課題を解決すべく次のような技術的手段を講じた。
すなわち、請求項１に係る発明は、走行車輪２を装備した走行部１ａの後部に操縦ハンドル６を設け、該操縦ハンドル６の前方に圃場に苗を移植する苗植付装置５を設けた苗移植機において、該苗植付装置５の苗植付具４２若しくは苗植付具４２付近を回動中心として操縦ハンドル６を機体側方に向けて回動及び固定自在に設けた苗移植機とした。
【０００５】
従って、例えばハウス内で苗移植作業を行う場合に、苗移植作業が困難なハウス壁際では、苗植付装置５の苗植付具４２若しくは苗植付具４２付近を回動中心として操縦ハンドル６を機体側方に向けて回動した状態にして、走行部１ａや苗植付具４２はハウス壁に沿った状態で機体を走行させ、作業者はハウス壁際から離れた位置で操縦ハンドル６を握って移植作業が行えるから、非常に容易に作業性良く苗移植作業が行える。また、この時、走行部１ａに対して苗植付具４２の位置は変更されないので、苗移植作業は適正に行える。
【０００６】
また、請求項２に係る発明は、回動する操縦ハンドル６側に苗供給装置４と該苗供給装置４に載置された苗トレイＴから苗を取出して苗植付具４２内に苗を供給する苗取装置４３を設け、苗取装置４３が苗植付具４２内に苗を供給する位置が操縦ハンドル６の回動中心と一致するか若しくは回動中心付近である請求項１記載の苗移植機とした。
【０００７】
従って、請求項２に記載の発明は、請求項１に記載の発明の作用に加えて、回動する操縦ハンドル６側に苗供給装置４と該苗供給装置４に載置された苗トレイＴから苗を取出して苗植付具４２内に苗を供給する苗取装置４３を設け、苗取装置４３が苗植付具４２内に苗を供給する位置が操縦ハンドル６の回動中心と一致するか若しくは回動中心付近としたので、操縦ハンドル６を機体側方に向けて回動した状態にしても苗取装置４３と苗を供給される位置の苗植付具４２との位置関係は同じであるか殆ど変更されないから、苗取装置４３は苗供給装置４の苗トレイＴから苗を取出して適切に苗植付具４２内に苗を供給することができ、良好な苗移植作業が行える。
【０００８】
また、請求項３に係る発明は、走行部１ａの前部に走行部ミッションケース７を設け、該走行部ミッションケース７に植付部ミッションケース３０を固定し、該植付部ミッションケース３０の後方に原動機９を設けた請求項１または請求項２記載の苗移植機とした。
【０００９】
従って、請求項３に記載の発明は、請求項１または請求項２に記載の発明の作用に加えて、機体前後長さを短く構成できて小型の苗移植機となり、狭いハウス内等の圃場で作業性良く移植作業が行える。
【発明の効果】
【００１０】
請求項１記載の発明は、苗植付装置５の苗植付具４２若しくは苗植付具４２付近を回動中心として操縦ハンドル６を機体側方に向けて回動及び固定自在に設けた苗移植機としたので、走行部１ａに対して苗植付具４２の位置は変更せず、例えばハウス内で苗移植作業を行う場合に、苗移植作業が困難なハウス壁際では、苗植付装置５の苗植付具４２若しくは苗植付具４２付近を回動中心として操縦ハンドル６を機体側方に向けて回動した状態にして、走行部１ａや苗植付具４２はハウス壁に沿った状態で機体を走行させ、作業者はハウス壁際から離れた位置で操縦ハンドル６を握って移植作業が行えるから、非常に容易に作業性良く苗移植作業が行える。
【００１１】
請求項２記載の発明は、請求項１記載の発明の効果に加えて、回動する操縦ハンドル６側に苗供給装置４と該苗供給装置４に載置された苗トレイＴから苗を取出して苗植付具４２内に苗を供給する苗取装置４３を設け、苗取装置４３が苗植付具４２内に苗を供給する位置が操縦ハンドル６の回動中心と一致するか若しくは回動中心付近である苗移植機としたので、操縦ハンドル６を機体側方に向けて回動した状態にしても苗取装置４３と苗を供給される位置の苗植付具４２との位置関係は同じであるか殆ど変更されないから、苗取装置４３は苗供給装置４の苗トレイＴから苗を取出して適切に苗植付具４２内に苗を供給することができ、良好な苗移植作業が行える。
【００１２】
請求項３記載の発明は、請求項１または請求項２記載の発明の効果に加えて、走行部１ａの前部に走行部ミッションケース７を設け、該走行部ミッションケース７に植付部ミッションケース３０を固定し、該植付部ミッションケース３０の後方に原動機９を設けた苗移植機としたので、機体前後長さを短く構成できて小型の苗移植機となり、狭いハウス内等の圃場で作業性良く移植作業が行える。
【発明を実施するための最良の形態】
【００１３】
この発明の一実施例として苗移植機の一例である野菜移植機を図面に基づき詳細に説明する。この野菜移植機１は、走行車輪２・３を有する走行部１ａによって畝Ｕを跨いだ状態で機体を進行させながら、苗供給装置４・苗植付装置５等からなる植付部１ｂで苗トレイ内の野菜のポット苗を畝Ｕの上面に植付ける構成となっている。作業者は、畝Ｕ間を歩きながら機体後方に設けた操縦ハンドル６で適宜機体を操向操作する。以下、各部の構成について説明する。
【００１４】
走行部１ａは、走行部ミッションケース７の後部に原動機の一種であるエンジン９（電動モータでも良い）が配置されている。エンジン９の左側面部には該エンジンの動力で駆動する油圧ポンプ１０が設けられている。走行部ミッションケース７の前面部に後述の植付部ミッションケース３０が固定されており、この植付部ミッションケース３０にメインフレーム１４の前端部が固着連結されている。メインフレーム１４は、後方に延び、後部で上向きに湾曲し、その後端部に操縦ハンドル６の前端部が回動調節自在に取り付けられており、高さ変更レバー１３の操作にて操縦ハンドル６の左右グリップ６ａは植付け作業高さ位置Ｈ１（低い操作位置）と旋回操作位置Ｈ２（高い操作位置）とに変更できるようになっている。従って、左右グリップ６ａを植付け作業高さ位置Ｈ１にした状態では、作業者は植付け作業に適した姿勢で左右グリップ６ａを握って容易に且つ作業性良く植付け作業が行える。また、機体旋回時には、左右グリップ６ａを旋回操作位置Ｈ２にすると、左右グリップ６ａが高い位置になるので、作業者はこの高くなった左右グリップ６ａを握って体重を掛けて容易に機体後部を押し下げて機体前部（前輪３）を上げることができ、機体の旋回が容易に行える。
【００１５】
走行部ミッションケース７の左右側面から突出する左右回動筒部１５に左右走行伝動ケース１６が一体に取り付けられ、その走行伝動ケースの先端部に駆動走行車輪である左右後輪２が軸支されている。また、植付部ミッションケース３０の前側に前後方向のピボット軸１７ａを中心に揺動自在に設けた前輪支持フレーム１７の左右両端部に左右前輪支持ロッド１８が高さ調節可能に取り付けられ、該ロッドの下端部に各々従動走行車輪である左右前輪３が軸支されている。
【００１６】
走行部１ａには機体に対し左右後輪２を上下動させて機体位置を制御する機体制御機構が設けられている。この機体制御機構は、走行部ミッションケース７の上に配置した油圧バルブユニット２０から後方に向けて昇降シリンダ２１が設けられ、該シリンダのピストンロッドの先端部に天秤杆２２が上下方向の軸まわりに回動自在に取り付けられている。天秤杆２２の左右両端部と、左右回動筒部１５に固着した左右スイングアーム２５とが、左右連結ロッド２６を介して連結されている。左側の連結ロッド２６は、ローリングシリンダ２７が組み込まれており、該シリンダを伸縮作動させることにより長さを変えられるようになっている。
【００１７】
昇降シリンダ２１及びローリングシリンダ２７は、前記油圧ポンプ１０から供給される作動油を油圧バルブユニット２０内の制御バルブ（図示せず）で制御して作動させられる。昇降シリンダ２１を伸縮作動させると、左右の後輪２が同方向に同量だけ機体に対し上下動し、機体が昇降する。また、ローリングシリンダ２７を伸縮作動させると、左右の後輪２が逆方向に同量だけ機体に対し上下動し、機体が左右に傾斜する。
【００１８】
植付部１ｂは、上記植付部ミッションケース３０の上部に第一植付伝動ケース３１の基部が固着され、更に該第一植付伝動ケース３１の先端部に第二植付伝動ケース３２の基部が固着されている。そして、第一植付伝動ケース３１と第二植付伝動ケース３２に後述する苗植付装置５の各作動機構が連結されており、この第一植付伝動ケース３１と第二植付伝動ケース３２にて苗植付装置５への植付駆動伝動系Ｄ１が構成されている。苗植付装置５の後記苗植付具４２は、走行部１ａの後部側に配置している。また、植付部ミッションケース３０の上部に基部を固着したフレーム３４に、育苗トレイが載せられる予備苗載台３６が取り付けられている。
【００１９】
図２に示すように、植付部ミッションケース３０の入力軸は該ケースの下端部から下方に突出しており、これを走行部ミッションケース７のＰＴＯ取出部に挿入することにより、該ＰＴＯ取出部内の走行部側の軸に伝動連結するようになっている。また、植付部ミッションケース３０は、植付部ミッションケース３０にボルト３５…によって着脱自在に取り付けられている。このため、ボルト３５…を外し、ＰＴＯ取出部から入力軸を抜くことにより、走行部１ａから植付部１ｂごと取り外せることができ、植付部１ｂのメンテナンスが容易に行える。
【００２０】
側面視において、植付部ミッションケース３０は走行部ミッションケース７から後方上向きに設けられ、且つ第一植付伝動ケース３１は植付部ミッションケース３０の上端部から後方下向きに設けられ、且つ第二植付伝動ケース３２は第一植付伝動ケース３１の下端部から水平方向に設けられている。この構成とすることにより、機体の前後長を必要以上に長くすることなく、第二植付伝動ケース３２の下側に前記天秤杆２２が移動するためのスペースが確保されている。
【００２１】
苗供給装置４は、メイフレーム１４の上方に配置されており複数個のソイルブロック苗Ｓを縦方向と横方向とに多数収容した苗トレイＴを後側が高くなるように傾斜して載置支持すると共に、縦及び横方向に間欠移動する苗トレイ移動装置４０と、この苗トレイ移動装置４０の前方側に配置されていて苗取出爪４１によって前記苗トレイＴから苗を一つずつ取出して苗植付具４２へと搬送する苗取装置４３とから構成されている。
【００２２】
尚、苗トレイＴは、薄肉に形成されて可撓性を有するプラスチック製で、縦方向及び横方向に所定のピッチで碁盤目状に配列された多数のポット部Ｐを有し、ポット部Ｐの開口縁部が互に平面状に連結されて成型されている。そして、ポット部Ｐに充填した床土に播種し育苗することで、ソイルブロック苗Ｓが育成されている。
【００２３】
苗取装置４３は、前記苗取出爪４１を具備すると共に、この苗取出爪４１を駆動させる爪駆動機構４４を有する。図６に示すように、苗取出爪４１は先端が尖った丸棒材よりなる左爪４１ａと先端が二股のフォーク状に尖った丸棒材よりなる右爪４１ｂ・４１ｂとで構成されており、先端側ほど相互に近接するように設けられている。そして、左爪４１ａを挟んだ状態で両側に右爪４１ｂ・４１ｂが位置する構成となっており、ソイルブロック苗Ｓを苗取出爪４１の左爪４１ａと先端が二股のフォーク状に尖った丸棒材よりなる右爪４１ｂ・４１ｂとで挟んだ時に、確実に苗Ｓを挟むことができて苗の脱落や姿勢の乱れがなく、確実に苗トレイＴから苗Ｓを挟み出して苗植付装置５に供給することができるので、適正な苗移植作業が行える。更に、左右爪４１ａ・４１ｂに各々基部が固着された弾性材よりなる左右葉部挟持体４１ｃ・４１ｃが設けられており、ソイルブロック苗Ｓを苗取出爪４１の左爪４１ａと先端が二股のフォーク状に尖った丸棒材よりなる右爪４１ｂ・４１ｂとで挟んだ時に、同時に葉部を左右葉部挟持体４１ｃ・４１ｃが挟んで持つので、更に確実に苗Ｓを挟むことができて苗の脱落や姿勢の乱れがなく、確実に苗トレイＴから苗Ｓを挟み出して苗植付装置５に供給することができ、適正な苗移植作業が行えるようになっている。尚、苗取出爪４１にて取出した苗を苗植付装置５の苗植付具４２に放出して供給する時、苗の放出方向は苗植付具４２の下端に向けており、放出された苗は苗植付具４２の下端の適正な位置になり適切に苗植付具４２内に苗を供給することができて、良好な苗移植作業が行える。
【００２４】
爪駆動機構４４は、苗取出爪４１を苗トレイＴと苗植付具４２との間で苗取出爪４１を姿勢変更しながら往復駆動させるもので、一対の苗取出爪４１が取付けられる爪支持体４５と、一対の苗取出爪４１の進退を案内する爪案内体４６と、前記爪支持体４５及び爪案内体４６をそれぞれ長手方向往復動自在に支持する支持具４７とを具備している。
【００２５】
この爪駆動機構４４は、植付部ミッションケース３０に固定された伝動ケース５０に取付支持されている。この伝動ケース５０は、左右両側に突出する入力軸５１と右側に突出する出力軸５２とを備えており、入力軸５１の右側先端に設けた受動スプロケット５３と前記植付部ミッションケース３０の右側に突出する駆動軸５４の先端に設けた駆動スプロケット５５との間に駆動チェーン５６を設けて、エンジン９からの動力が伝達される。この入力軸５１の右側先端に設けた受動スプロケット５３と植付部ミッションケース３０の駆動軸５４の駆動スプロケット５５と両スプロケット５３・５５の間に設けた駆動チェーン５６にて、苗取装置４３への苗取出し駆動伝動系Ｄ２が構成されている。そして、前記出力軸５２は、歯車伝動機構を介して入力軸５１に連動連結されており、この出力軸５２によって苗トレイ移動装置４０が駆動される。
【００２６】
前記入力軸５１の伝動ケース５０の左側に突出した先端にはクランク５７が設けられ、このクランク５７にクランクピン５８が側方に突設され、また、入力軸５１には、クランク５７と同軸心で駆動カム５９が設けられている。伝動ケース５０の左側下部には、揺動アーム６０の下部が揺動軸６１を介して左右軸廻りに回動自在に枢結されており、この揺動アーム６０の中途部には上下方向（アーム長手方向）に延びる溝カム６２が形成され、この溝カム６２には、クランク５７のクランクピン５８に外嵌されたローラ６３が挿通係合されている。
【００２７】
揺動アーム６０の上部には支持具４７がピン６４を介して枢結され、この支持具４７は、パイプ製の爪支持体４５を軸方向移動自在に挿通案内する筒部４７ａを備えており、前記爪支持体４５が苗トレイＴに向かって出退可能とされている。また、この爪支持体４５の先端部に、ポット部Ｐ内の苗Ｓのブロック土に斜め方向から突き刺される前記一対の苗取出爪４１が取付けられている。
【００２８】
また、伝動ケース５０の上面には板状の支持部材６５がボルトにより取付固定され、支持具４７にはブラケット６６を介して遊転自在にローラ６７が取付けられ、このローラ６７は、支持部材６５にピン６８を介して揺動自在に取付けられた案内板６９に形成されたカム溝７０に係合されている。前記案内板６９は下方への突出腕の先端に転動ローラ７１を有し、この転動ローラ７１は駆動カム５９上に当接されていて、駆動カム５９の図４で反時計方向の回転により案内板６９をピン６８を中心として揺動可能にしている。また、案内板６９は、支持部材６５との間に介装されたスプリング７２によって、ローラ７１が駆動カム５９に押し付けられる方向に付勢されている。
【００２９】
爪支持体４５の基端部に設けた基体７３と、爪支持体４５を内嵌保持する支持具４７の筒部４７ａとの間には、爪支持体４５を後退させる方向に付勢するコイルスプリング７４が介装されており、爪支持体４５の前端部には爪取付具７５が嵌合固定されている。この爪取付具７５に一対の苗取出爪４１の基部がそれぞれ軸７６を介して枢支されており、一対の苗取出爪４１は爪取付具７５に対して先端が遠近移動するように揺動可能になっている。
【００３０】
支持具４７の下端部には、押出リンク７７がピン７８を介して回動自在に枢結されている。この押出リンク７７の先端部には長溝７９が形成され、爪取付具７５の突出腕に設けたピン８０と係合されている。押出リンク７７には、クランク５７のクランクピン５８と当接可能な略円弧状のカム板８１が設けられている。前記爪支持体４５・基体７３及び爪取付具７５には、前記爪案内体４６が長手方向摺動自在に挿入され、該爪案内体４６は丸棒等で形成されていて、その前端に苗取出爪４１を挿通案内する案内孔を備えた案内部８２が設けられ、後端に側面視Ｌ字状の作動部材８３が装着され、中途部に止め具８４が固着され、この止め具８４と基体７３との間にコイルスプリング８５が圧縮状に嵌装されている。
【００３１】
前記支持具４７には作動片８６が枢支され、スプリングによって図４で時計方向に付勢されており、この作動片８６は１本の足と両腕とを有する略Ｔ字形状であり、一方の腕にはロック部８６ａが、他方の腕には解除部８６ｂが、足には押動部８６ｃが形成されている。前記爪案内体４６に固着の作動部材８３は爪案内体４６と平行な部分を有し、この平行部分は支持具４７によって回り止め状態で摺動が案内されており、その摺動面に突出した前記作動片８６のロック部８６ａと係合して、爪案内体４６の突出方向の移動が規制されている。
【００３２】
前記爪支持体４５の後端の基体７３にはロックアーム８７が枢支されており、このロックアーム８７はスプリングによって図４で時計方向に付勢されており、先端部に支持具４７の係合部８８と係合可能な鉤部８９が形成されている。前記構成において、図４に示す状態から、入力軸５１が反時計方向に回転すると、クランク５７が同行回転してクランクピン５８に嵌合されたローラ６３がカム板８１を押動して押出リンク７７が苗トレイＴ側へと揺動され、これによって、図４に示すように、支持具４７に対して爪取付具７５及び爪支持体４５が苗トレイＴ側へ向けて押動され、コイルスプリング７４，８５を圧縮する。これにより、苗取出爪４１は突出して苗Ｓのブロック土を突き刺し、かつ爪支持体４５が後退するための復元力が保有されることになる。
【００３３】
尚、苗取出爪４１が突出して苗Ｓのブロック土を突き刺す際にあっては、苗取出爪４１が案内部８２の案内孔に規制されて、左右の苗取出爪４１の先端間距離が狭められながら該苗取出爪４１がブロック土に突き刺されるように構成されている。また、爪支持体４５は突出した状態でロックアーム８７の鉤部８９が支持具４７の係合部８８と係合することによりその状態が保持され、揺動アーム６０及び案内板６９は揺動しない。
【００３４】
この状態から、さらに入力軸５１が反時計方向に回転すると、ローラ６３が揺動アーム６０の溝カム６２内を摺動することで揺動アーム６０が揺動軸６１廻りに苗トレイＴから離反する方向に揺動して、爪支持体４５，爪案内体４６及び支持具４７と共に苗取出爪４１が苗トレイＴに対して後退し、苗Ｓのブロック土がポット部Ｐから取り出される。
【００３５】
その後、さらに入力軸５１が反時計方向に回転すると、爪支持体４５，爪案内体４６及び支持具４７と共に苗取出爪４１が苗トレイＴから離反する方向に移動すると共に、ローラ６７がカム溝７０の前上がり状部分を摺動して、苗取出爪４１等が略下向き姿勢に変更し、苗Ｓを下向き姿勢にすると共に、苗Ｓを苗植付具４２の前部上方に位置させる。
【００３６】
そして、苗取出爪４１が略下向き姿勢にされた状態に移動してきたときに作動片８６の押動部８６ｃが支持部材６５に位置調節自在に設けたロック解除部材と当接する。作動片８６が回動されると、まず作動片８６のロック部８６ａによる作動部材８３に対するロックが解除され、スプリング８５の付勢力により爪案内体４６が突出して、苗取出爪４１に保持されている苗Ｓを苗取出爪４１から押し出し離脱させ、苗植付具４２に上方から落下投入する。その後にさらに作動片８６が回動すると、解除部８６ｂによりロックアーム８７を押し上げて鉤部８９と係合部８８との係合が解除され、コイルスプリング７４の付勢力により爪案内体４６を伴って爪支持体４５が後退する。
【００３７】
その後は、入力軸５１の、図４の反時計方向の回転によって、図４に示す状態に移動し、前記作動を繰り返す。苗トレイ移動装置４０は、苗トレイＴを載置する苗載台９０を備えており、この苗載台９０は、左右方向に配置された上下一対の案内レール９１ａ・９１ｂに左右方向移動自在に支持されている。
【００３８】
また、苗載台９０は苗トレイＴの底部を横一列のポット部Ｐに亘って支持する載置板９６を有し（従って、この載置板９６の上面が苗トレイＴを載置支持する載置面９６ａとされている）、この載置板９６は左右方向に対向配置された一対の側板９７間に配置されていて、載置板９６の左右端部が左右側板９７の対向面（左右方向内面）に固定されている。
【００３９】
左右側板９７間下部には、縦移動駆動軸９８が左右方向に配置されて設けられており、左右側板９７間上部には、縦移動従動軸９９が左右方向に配置されて設けられており、駆動軸９８には左右一対の駆動スプロケット１００が固定され、従動軸９９には左右一対の従動スプロケット１０１が固定されている。また、駆動スプロケット１００と従動スプロケット１０１との間には、これらに亘ってエンドレスチェーン１０２が掛装され、このチェーン１０２には、苗トレイＴの縦方向（上下方向）のポット部Ｐ間の間隙に係合する搬送ピン１０３が左右方向内方突出状に取付けられている。したがって、駆動軸９８が、図９に矢示Ａで示す方向に回動駆動することによって苗トレイＴが搬送ピン１０３によって押動されて縦移動可能とされている。尚、左右の側板９７は前記縦移動駆動軸９８や従動軸９９以外に他の連結部材によって連結されている。
【００４０】
この苗トレイ移動装置４０には、苗トレイＴの縦横の寸法が同じで且つポット部Ｐの開口の大きさは異なるがポット部Ｐの開口間の間隔が略同じ（即ち、縦横の配列方向のポット部Ｐの中心間のピッチ及びポット部Ｐの数の異なる）２種類の苗トレイＴが装着されるようになっており、従って、前記搬送ピン１０３は、ポット部Ｐ間の各々に係合するように設けられるのではなく、２種類の苗トレイＴの縦方向のポット部Ｐ間の間隙が縦方向に関して一致する位置に設けられる。
【００４１】
ここで前記苗トレイＴの横移動機構について説明すると、苗載台９０の左右両側方に配置されて左右縱フレーム９５に取付支持された左右軸受部材１０４間に、左右側板９７を貫通すると共に同ピッチで切られた左右ネジの谷部を結合した特殊ネジ（ナピヤネジ）が形成された横移動軸１０５が左右軸廻り回転自在に支持され、この横移動軸１０５には、その軸上の特殊ネジに係合するスライダ１０６が外嵌されている。このスライダ１０６は、苗載台９０の載置板９６の背面に設けられた左右一対の係合片１０７に係合されている。
【００４２】
前記横移動軸１０５には、出力軸５２から伝動ケース１０８内の巻掛け伝動機構１０８ａを経て動力が伝達されて、該横移動軸１０５が間欠的に回転駆動され、横移動軸１０５を間欠的に回転駆動すると、スライダ１０６が間欠的に左右方向に移動すると共に横移動軸１０５に形成されたネジの端部で折り返して、苗載台９０が左右方向に往復移動されるようになっている。この伝動ケース１０８内の巻掛け伝動機構１０８ａにて苗載台駆動系Ｄ３が構成されている。
【００４３】
そして、横移動軸１０５は、苗取出爪４１によって苗Ｓをポット部Ｐから取出す際にあっては停止されており、苗Ｓをポット部Ｐから取出した後に回転して、ポット部Ｐの横配列方向（左右方向）に１ピッチだけ苗載台９０を移動させるように間欠回転するように構成されている。尚、選択的に使用される２種類の苗トレイＴのポット部Ｐの横方向のピッチに対応した横移動量を選択できるように、伝動ケース５０内で横移動量が切換え可能とされている。
【００４４】
次に、苗トレイＴの縦移動機構について説明すると、横移動軸１０５の左右両側には縦移動カム１０９が固定され、苗載台９０には左右側板９７間に縦移動作動軸１１０が回転自在に支持され、この縦移動作動軸１１０には、苗載台９０が最左端又は最右端にまで移動したときに縦移動カム１０９に係合するホロワ１１１が左右一対備えられている。また、縦移動作動軸１１０はリンク１１２等を介して縦移動駆動軸９８の左端側に設けられた縦移動手段１１３に連動連結されている。
【００４５】
そして、苗載台９０が左右の端部まで移動したときに、ホロワ１１１が縦移動カム１０９によって押されて縦移動作動軸１１０が回動し、リンク１１２を介して縦移動手段１１３が作動されて縦移動駆動軸９８が、苗トレイＴをポット部Ｐの縦配列方向（左右方向に直交する配列方向）にポット部Ｐの１ピッチだけ移送するように回動される。
【００４６】
これによって、横一列のポット部Ｐからのソイルブロック苗Ｓの取出しを終えた時点で、苗トレイＴがポット部Ｐの縦方向の間隔に相当する分縦移動されるようになっている。苗トレイＴの苗Ｓが取り出された後の部分は、駆動スプロケット１００に沿って載置板９６の下面側へと折り返されるようになっており、図７及び図９に示すように、苗載台９０の下部には、板材を縦移動駆動軸９８の軸心を中心とする円弧状に形成されていて、苗トレイＴを駆動スプロケット１００に沿うように案内する案内部材１１４が、左右両端側及び中央部に取付固定されている。
【００４７】
左右両側の案内部材１１４には、それぞれ苗トレイＴのポット部Ｐの底部が載置板９６から離反する方向に移動する（浮き上がる）のを防止すべく苗トレイＴ上面の左右側縁側を押さえる押さえ部材１１５が設けられている。この押さえ部材１１５は弾性変形自在な鋼棒材を折曲して形成されており、基部側１１５ａが案内部材１１４に取付固定され、中途部が苗トレイＴの上面に接当してこれを弾圧し（単に接当するだけでもよい）、先端側は苗トレイＴから離反するように構成されている。
【００４８】
左右各押さえ部材１１５の、苗トレイＴ縦移動方向後方側には、苗トレイＴの載置面９６ａから離反する方向の移動を規制する規制手段１１６が配置されている。この規制手段１１６は、弾性変形自在な鋼棒材を折曲して形成され、中途部が苗トレイＴの上面左右側縁側に接当する押さえ部１１６ａとされ、一端側が押さえ部１１６ａを苗トレイＴ側に弾圧させるように側板９７に取り付けられる取付部１１６ｂとされ、他端側がアーチ状に形成されたつまみ部１１６ｃとされている。
【００４９】
前記取付部１１６ｂは、ボルト９３によって側板９７に回動自在に取り付けられており、押さえ部１１６ａが苗トレイＴの載置面９６ａから離反する方向の移動を規制する規制姿勢（図９乃至図１２に実線で示す）から、つまみ部１１６ｃを把持して押さえ部１１６ａを引き上げると共に取付部１１６ｂ廻りに規制手段１１６を左右方向外方に回動させることで、苗トレイＴが載置板９６上に垂直方向から載置可能とされる退避姿勢（図１２に仮想線で示す）へと、規制手段１１６が姿勢変更自在とされている。
【００５０】
前記苗載台９０の載置板９６には、右側（左側でもよい）の規制手段１１６の近傍に位置して苗トレイＴの通過を検出する検出手段１１７が設けられている。この検出手段１１７は、苗トレイＴの右端側のポット部Ｐの底部に接当する接当部材１１８と、この接当部材１１８をポット部Ｐ側へと付勢する付勢部材１１９と、マイクロスイッチ等の接触センサ１２０とから構成されている。
【００５１】
接当部材１１８は、苗トレイ縦移動方向後方側が載置板９６の下面側に固定された支持部材１２１に支軸１２２を介して左右軸廻りに回動自在に支持されていて、載置板９６に形成した開口部１２３を介して載置板９６の載置面９６ａ側に出退自在に突出可能とされている。また、接当部材１１８には載置板９６の下面に接当して、接当部材１１８の突出方向（開口部１２３から苗トレイＴ側に突出する方向）の回動を規制するストッパ１２４が固定されて設けられている。
【００５２】
付勢部材１１９は、バネ板等から形成されており、苗トレイ縦移動方向後方側が支持部材１２１に固定され、苗トレイ縦移動方向前方側が接当部材１１８の下面に接当しており、その弾性力によって接当部材１１８を突出方向に付勢している。接触センサ１２０は支持部材１２１に取付固定されており、その接触子１２０ａが付勢部材１１９の中途部に接触している。
【００５３】
従って、接当部材１１８は、図９に仮想線で示すように苗トレイＴが検出手段１１７上を通過している間は、ポット部Ｐによって押圧されて載置板９６の下面側へと退避して、付勢手段１１９を介して接触センサ１２０の接触子１２０ａを押圧し、苗トレイＴの存在を検出する。そして、図９に実線で示すように、苗トレイＴが検出手段１１７上を通過すると、最後部のポット部Ｐが接当部材１１８から離反し、付勢部材１１９によって接当部材１１８が載置面９６ａ側に突出すると共に、接触センサ１２０の接触子１２０ａの押圧が解除されて、苗トレイＴが検出手段１１７から離反したこと、すなわち苗トレイＴの通過を検出する。
【００５４】
尚、検出手段１１７が苗トレイＴの通過を検出すると、その検出信号によって、ブザー、ランプ等からなる報知手段が作動され、苗トレイＴを補給しなければならないことを作業者に報せる。また、図例では（図９）、ポット部Ｐの縦配列方向の後から２つ目のポット部Ｐが、苗取出爪４１による苗取出し位置にきたときに、検出手段１１７が苗トレイＴの通過を検出し、苗トレイＴを補給するようになっているが、これよりもポット部Ｐの縦配列方向後方側で苗トレイＴの通過を検出するようにしてもよい。
【００５５】
作業者は苗トレイＴが検出手段１１７を通過したことが報知手段の作動にて分かると、左右の規制手段１１６を退避姿勢に姿勢変更させて、苗トレイＴを載置板９６上に載置補給した後、左右の規制手段１１６を規制姿勢にもどす。前記のように、検出手段１１７は規制手段１１６の近傍に設けられているので、苗トレイＴの浮き上がりによる検出手段１１７の誤作動が防止できる。従って、検出手段１１７を設ける場所は、規制手段１１７によって苗トレイＴの浮き上がりを規制できる範囲内であれば、どこでもよい。
【００５６】
尚、規制手段１１６は、苗トレイＴの上面左右側縁側を押圧しなくても、接当させるだけで苗トレイＴの浮き上がりを規制するようにしてもよく、また、接当部材１１８を苗トレイＴの上壁（ポット部Ｐの開口縁を連結する部分）下面に接当させるようにしてもよい。また、検出手段１１７としては、マイクロスイッチ又はリミットスイッチ等の接触センサの接触子を直接苗トレイＴ又は接当部材１１８に接当させるようにしてもよい。
【００５７】
ここで、入力軸５１からの動力伝達機構及び苗トレイＴの横移動機構の横移動量の切換え機構について説明する。図１３乃至図１５に示すように、入力軸５１には欠歯歯車１２５がスプライン嵌合され、また、伝動ケース５０内には、入力軸５１及び出力軸５２と平行に配置されて軸心廻りに回転自在に支持された中間軸１２６が設けられ、この中間軸１２６には、前記欠歯歯車１２５に噛合する伝動歯車１２７がスプライン嵌合されていて、入力軸５１から中間軸１２６に間欠的に動力が伝達され、該中間軸１２６が間欠回転する。
【００５８】
また、中間軸１２６には、軸心方向に間隔をおいて配置された第１横移動駆動歯車１２８と第２横移動駆動歯車１２９とが中間軸の軸心廻りに相対回転自在に外嵌され、一方、出力軸５２には、第１横移動駆動歯車１２８に噛合する第１横移動従動歯車１３０と、第２横移動駆動歯車１２９に噛合する第２横移動従動歯車１３１とが一体回転自在に外嵌されている。
【００５９】
また、中間軸１２６には、これら第１横移動駆動歯車１２８と第２横移動駆動歯車１２９との間にスプライン嵌合されていて、中間軸１２６と一体回転自在で且つ軸心方向移動自在とされたシフタ１３２が設けられている。このシフタ１３２には、第１横移動駆動歯車１２８に形成された第１噛合歯１３３に噛合する第１係合歯１３４が設けられると共に、第２横移動駆動歯車１２９に形成された第２噛合歯１３５に噛合する第２係合歯１３６が設けられている。
【００６０】
従って、シフタ１３２を軸心方向に移動させて第１係合歯１３４を第１噛合歯１３３に噛合させると、第１横移動駆動歯車１２８、シフタ１３２、第１横移動従動歯車１３０を介して動力が伝達され、また、第２係合歯１３６を第２噛合歯１３５に噛合させると、第２横移動駆動歯車１２９、シフタ１３２、第２横移動従動歯車１３１を介して動力が伝達されて、出力軸５２が間欠回転され、前述したように、この出力軸５２から横移動軸１０５に動力が伝達されて、該横移動軸１０５が間欠的に回転される。
【００６１】
そして、第１横移動駆動歯車１２８と第１横移動従動歯車１３０との回転比は、第２横移動駆動歯車１２９と第２横移動従動歯車１３１との回転比よりも大きくて、ポット部Ｐのピッチの異なる２種類の苗トレイＴに対応して、該苗トレイＴの横移動量が２段階に切換えられるようになっている。前記伝動ケース５０の上面には、横送切換レバー１３７が配置されると共に、伝動ケース５０には、該ケース５０の上壁に形成された挿通孔１３８に上下軸廻りに回動自在に挿通された回動軸１３９が設けられ、この回動軸１３９の下端部には、シフタ１３２の周溝１３２ａに挿入されるシフトピン１４０が固着されており、回動軸１３９の軸心廻りの回動動作によってシフトピン１４０が回動軸１３９の軸心廻りに揺動してシフタ１３２を中間軸１２６の軸心方向に移動させことができるようになっている。
【００６２】
回動軸１３９の上部は挿通孔１３８から突出され、その突出部分の下部側に連動プレート１４１の一端側が一体回動するように嵌合され、この連動プレート１４１の他端側には係合ピン１４２が固定されている。回動軸１３９の突出部分の中間部には、カラー１４３が相対回動自在に外嵌され、回動軸１３９の突出部分の上部はネジ軸部１４４とされ、そのネジ軸部１４４に当板１４５及びワッシャ１４６が外嵌されると共に、ナット１４７が螺合されている。
【００６３】
カラー１４３には前記横移動切換えレバー１３７が相対回動自在に外嵌され、この横移動切換えレバー１３７には、バネ受け部１４８が一体形成されている。また、カラー１４３の、横移動切換えレバー１３７と、連動プレート１４１及び当板１４５との間には、それぞれねじりコイルバネ１４９が外嵌されており、これらバネ１４９は互いに逆方向に捩じられていると共に該バネ１４９の一端部は係合ピン１４２に、他端部は横移動切換えレバー１３７のバネ受け部１４８に掛止されている。
【００６４】
従って、横移動切換えレバー１３７を回動軸１３９の軸心廻りに回動操作するとバネ１４９を介して連動プレート１４１が同行回動し、回動軸１３９が回動され、シフタ１３２が中間軸１２６の軸心方向に移動されることとなり、横移動切換えレバー１３７を図１５に実線で示す位置から仮想線で示す位置に、又は仮想線で示す位置から実線で示す位置に回動操作することで、苗トレイＴの横移動量の切換えがなされるように構成されている。
【００６５】
また、この苗トレイＴの横移動量の切換え時において、第１係合歯１３４が第１噛合歯１３３に、又は第２係合歯１３６が第２噛合歯１３５に噛み合わないと、一方のバネ１４９がねじられて、回動軸１３９及び連動レバー１２５等が回動しなくても横移動切換えレバー１３７の回動操作が許容されるようになっており、この状態において、第１又は第２噛合歯１３３，１３５が第１又は第２係合歯１３４，１３６に噛み合う位置になると、前記ねじられた一方のバネ１４９の付勢力によって、回動軸１３９及び連動レバー１２５等が回動し、苗トレイＴの横移動量の切換えが完了する。
【００６６】
従って、苗トレイＴの横移動量の切換え時にあっては、横移動切換えレバー１３７を操作するのに、第１又は第２係合歯１３４，１３６と第１又は第２噛合歯１３３，１３５とが噛み合うように各部のタイミングを合わせる必要がなく、横移動切換えレバー１３７を操作するだけで、バネチャージ機能により、切換えタイミングの合った位置で自動的に切換わるように構成され、苗トレイＴの横移動量の切換えの容易化が図れている。尚、載置板９６に苗トレイＴの種類を検出するセンサ（苗トレイＴがポットが１２８ある１２８穴仕様かポットが２００ある２００穴仕様かを判別するセンサ）を設けて、載置板９６に載置された苗トレイＴに応じて自動で横移動切換えレバー１３７を電動モータで切替える構成にすれば、更に、作業性が良く、横移動切換えレバー１３７の操作間違いも防止できて、良好な移植作業が行える。
【００６７】
伝動ケース５０の上部には、ネジ孔１５０が形成されると共に、該ネジ孔１５０に螺合されるノブボルト１５１を備えており、横送切換レバー１３７には、第１係合歯１３４を第１噛合歯１３３に噛合させた状態と、第２係合歯１３６を第２噛合歯１３５に噛合させた状態とにおいて、前記ネジ孔１５０に一致する一対の挿通孔１５２が貫通形成されており、第１係合歯１３４を第１噛合歯１３３に噛合させた状態又は第２係合歯１３６を第２噛合歯１３５に噛合させた状態で、ネジ孔１５０にノブボルト１５１を螺合させることによって、横送切換レバー１３７を固定できるようになっている。苗植付装置５は、下端が尖ったカップ状の苗植付具４２を備えている。この苗植付具４２は、前側部材４２ａと後側部材４２ｂとからなっており、苗植付具４２の後方に位置する前側部材回動軸１６１Ａに回動自在に支持された左右前側部材取付アーム１６２Ａに前側部材４２ａが一体に取り付けられ、苗植付具４２の前方に位置する後側部材回動軸１６１Ｂに回動自在に支持された左右後側部材取付アーム１６２Ｂに後側部材４２ｂが一体に取り付けられている。よって、回動軸１６１Ａ・１６１Ｂを支点にして両部材４２ａ・４２ｂが回動すると、苗植付具４２の下部が開閉する。前側部材取付アーム１６２Ａと後側部材取付アーム１６２Ｂに形成された長穴に遊嵌する連動ピン１６３によって、前側部材４２ａと後側部材４２ｂは互いに連動して回動する。前側部材取付アーム１６２Ａの脚部１６２ａＡと後側部材取付アーム１６２Ｂの脚部１６２ａＢとの間に、前側部材４２ａ及び後側部材４２ｂを閉じる側に付勢するスプリング１６４が張設されている。この苗植付具４２は、下記の作動機構によって所定の動作を行う。
【００６８】
第二植付伝動ケース３２から上方に突出する支持部３３ａに後リンク支持アーム１６７Ａが回動自在に取り付けられ、その支持アーム１６７Ａに基部が枢着された後リンク１６８Ａの後端に前側部材回動軸１６１Ａが連結されている。後リンク１６８Ａの中間部には、第二植付伝動ケース３２の後端部に設けた後リンク駆動アーム１６９Ａが連結されている。また、植付部ミッションケース３０に前リンク支持アーム１６７Ｂが回動自在に取り付けられ、その支持アームに基部が枢着された前リンク１６８Ｂの後端に後側部材回動軸１６１Ｂが連結されている。前リンク１６８Ｂの中間部には、第一植付伝動ケース３１の後端部に設けた前リンク駆動アーム１６９Ｂが連結されている。両駆動アーム１６９Ａ・１６９Ｂが駆動回転すると、後リンク１６８Ａ及び前リンク１６８Ｂが基部の位置を前後に変動させつつ上下に揺動し、苗植付具４２が一定姿勢のまま上下動する。
【００６９】
後リンク１６８Ａの基部には開閉アーム１７１が回動自在に取り付けられ、その開閉アーム１７１の先端部と前側部材取付アーム１６２Ａとが開閉ロッド１７２で連結されている。また、後リンク１６８Ａの中間部には後リンク駆動アーム１６９Ａと一体に回転する開閉カム１７３が取り付けられている。この開閉カムのカムフォロアとしてのローラ１７４が開閉アーム１７１に設けられている。苗植付具４２が下死点付近にある位置から上昇する行程で、開閉カム１７３がローラ１７４に係合するようになっている。開閉カム１７３がローラ１７４に係合すると、開閉ロッド１７２が引かれ、前側部材４２ａと後側部材４２ｂが互いに連動して回動し、苗植付具４２が開く。開閉カム１７３がローラ１７４に係合しない時は、スプリング１６４の張力によって苗植付具４２が閉じている。
【００７０】
苗植付具４２が上死点にある時に、苗供給装置４により苗が落下供給される。供給された苗は、前側部材回動軸１６１Ａと後側部材回動軸１６１Ｂに取り付けられている筒状の苗案内１７６を通って苗植付具内に導かれる。苗を保持した苗植付具４２が下降し、下死点では苗植付具４２の下部が畝の表土部に突き刺さり、苗移植用穴を形成する。これとほぼ同期して苗植付具４２が開き、保持していた苗を上記苗移植用穴の中に開放する。そのまま苗植付具４２が上昇し、上死点付近まで上昇すると苗植付具４２が閉じる。
【００７１】
尚、苗植付具４２の苗植付性能を維持する為に、苗植付具４２が圃場に苗を植付けて上昇する過程で苗植付具４２の外周面及び内周面にゴム材等よりなるスクレパーを摺接させて、苗植付具４２に付着した泥土を落とす構成が知られている。この苗植付具４２の内周面に摺接するスクレーパは、苗植付具４２が開いて上昇している過程で苗植付具４２内にスクレーパが入り苗植付具４２の上昇により苗植付具４２の内周面の泥土を落とす構成であるが、苗植付具４２内にスクレーパが入った直後に苗植付具４２を少し閉じる構成にするとスクレーパーの苗植付具４２内周面に摺接する抵抗が大きくなって良く泥土を落とすことができる。
【００７２】
苗植付位置の後方には、左右一対の鎮圧輪１８０が配置されている。該左右鎮圧輪１８０は、メインフレーム１４の前部フレーム１４ａ側に固着した支持体１８６に上下に揺動自在に支持された揺動フレーム１８７の先端部に回転自在に装着し、揺動フレーム１８７の基部には作動アーム１８８を一体的に作動するように固着している。そして、メインフレーム１４の前部フレーム１４ａ側に固着した連携アーム支持体１８９に揺動自在に連携アーム１９０を支持し、該連携アーム１９０の一端に前記作動アーム１８８後端を連結し、他端に操縦ハンドル６に一端を連結した連結ロッド１９１を連結している（揺動フレーム１８７・作動アーム１８８・連携アーム１９０・連結ロッド１９１にて左右グリップ６ａの上下に連携して左右鎮圧輪１８０を上下動させる上下連携機構Ｚを構成している）。従って、左右グリップ６ａを植付け作業高さ位置Ｈ１にした状態では、左右鎮圧輪１８０は苗植付具４２が植付けた苗に対して適正に覆土し苗の側部を鎮圧する。また、左右グリップ６ａを旋回操作位置Ｈ２にすると、上記の連携機構Ｚにより左右鎮圧輪１８０は上動して圃場面から上方に離れる。よって、機体旋回時に左右グリップ６ａを高い旋回操作位置Ｈ２にすると、作業者はこの高くなった左右グリップ６ａを握って体重を掛けて容易に機体後部を押し下げて機体前部（前輪３）を上げることができ、同時に、左右鎮圧輪１８０は上動して圃場面から上方に離れるので、機体の旋回が容易に行える。
【００７３】
この左右鎮圧輪１８０は、下部ほど互いの間隔が狭くなるように斜めに取り付けられ、機体の進行に伴って畝面を転動し、苗が植付けられた後の苗移植穴の周囲の土を崩落させて穴を埋め戻すと共に、その跡を軽く鎮圧するようになっている。１９２は畝上面を検出するセンサであって、該センサ１９２が上下回動すると、その回動をリンク機構１９３にて上下制御バルブ２０ａに伝え、センサ１９２の角度が元に戻る方向に昇降シリンダ２１を作動させる。これにより、畝の上面から機体までの高さを一定に維持するように機体を昇降制御し、畝の高さの変更に係わらず常に苗の植付深さが一定になるように制御され、植付後の苗の成育が良い。
【００７４】
また、上記センサ１９２は走行部ミッションケース７に左側が軸支された回動軸１９４に後端部が固着され先端が前方に向けて延設されたアーム１９５に軸１９６にて回動自在に軸支されている。そして、回動軸１９４は植付深さ調節レバー１９７の基部が連繋されており、植付深さ調節レバー１９７を係合案内１９８の調節係合部に係合係止して固定状態にすると、回動軸１９４は回動が固定され、従って、アーム１９５の軸１９６は上下高さが固定されるので、センサ１９２は畝上面に摺接しながらその軸１９６回りに回動して、上記のように畝の高さ変更に係わらず常に苗の植付深さが一定になるように制御される。そして、植付深さ調節レバー１９７を係合案内１９８の調節係合部に対して位置調節して係合係止して固定状態にすることにより、アーム１９５の軸１９６の上下高さ位置を調節できるので、畝に対する機体高さを制御する基準位置を自由に設定できるので、苗の植付深さが調節できる。
【００７５】
尚、油圧バルブユニット２０内の左右傾斜制御バルブ２０ｂは左右傾斜検出用の振り子２００の動きに連動して切り替わるようになっており、機体が左右に傾斜するとローリングシリンダ２７が適宜作動し、機体を左右水平に戻すように制御する。操縦ハンドル６は両端が後方に延びる平面視略コ字形をしており、その両端部に左右グリップ６ａが取り付けられている。旋回時や路上走行時には、作業者が左右グリップ６ａを握って操縦する。
【００７６】
左右グリップ６ａの下側には各々左右サイドクラッチレバー２０１が設けられている。また、操縦ハンドル６の基部には操作パネル２０２が設けられ、該操作パネル２０２に、苗供給装置４及び苗植付装置５へ伝動する植付クラッチの入・切操作と機体の昇降操作をする植付昇降レバー２０３、メインクラッチの入・切操作をするメインクラッチレバー２０４等が設けられている。図中の符号２０５は苗の植付間隔を調節する株間調節レバーである。
【００７７】
ここで、機体を苗植付装置５の苗植付具４２を回転中心として屈曲させる構成について説明する。
メイフレーム１４は、その中途部である苗植付具４２の側方位置で前部フレーム１４ａと後部フレーム１４ｂとに分割されている。そして、該前部フレーム１４ａは前端を植付部ミッションケース３０に固着し、前部フレーム１４ａの後端と後部フレーム１４ｂの前端とは苗植付具４２の側方位置で回動及び固定操作具にて固定自在に連結している。一方、苗取装置４３の伝動ケース５０は、上部ケース５０ａと下部ケース５０ｂとに分割構成されており、上部ケース５０ａは植付部ミッションケース３０に固定連結されており、下部ケース５０ｂは上部ケース５０ａに対して上昇して苗を供給される位置の苗植付具４２の中心線ＣＬ回りに回動自在に装着されている。従って、固定操作具にて固定解除操作して、後部フレーム１４ｂを前記苗植付具４２の中心線ＣＬ回りに回動させると、後部フレーム１４ｂに装着されている操縦ハンドル６・苗供給装置４・苗取装置４３も苗植付具４２の中心線ＣＬ回りに回動する。その状態で固定操作具にて後部フレーム１４ｂを固定する。
【００７８】
すると、苗植付具４２の中心線ＣＬにて機体が屈曲した状態となり、狭いハウス内で苗移植作業を行う場合にハウス壁際の苗移植作業は困難であるが、走行部１ａや苗植付具４２や左右鎮圧輪１８０はハウス壁に沿った状態で機体を走行させ、作業者はハウス壁際から離れた位置で操縦ハンドル６を握って移植作業が行えるので、非常に容易に作業性良く苗移植作業が行える。また、この時、苗供給装置４・苗取装置４３は上昇して苗を供給される位置の苗植付具４２の中心線ＣＬ回りに回動しているので、苗取装置４３と上昇して苗を供給される位置の苗植付具４２との位置関係は変更されていないから、苗取装置４３は苗供給装置４の苗トレイＴから苗を取出して適切に苗植付具４２内に苗を供給することができ、良好な苗移植作業が行える。また、ハウス内の支柱の周りの苗移植作業も同様に機体を屈曲させた状態で行なうと、非常に容易に作業性良く苗移植作業が行える。
【００７９】
３００は前部バンパー３０１部に設けた機体自動停止用スイッチであって、ハウス内で移植作業をしている際に、機体前部が誤ってハウス壁や支柱に接当した場合、前部バンパー３０１が後方に押されて機体自動停止用スイッチ３００をＯＮにして、エンジン９を停止し、機体を停止する。尚、エンジンの代わりに電動モータにて駆動する場合は、電動モータを停止する。
【００８０】
上記の野菜移植機１にて野菜の苗を圃場に移植する作業について、説明する。先ず、苗載台９０に野菜苗が育苗された苗トレイＴを装填する。そして、作業者は機体の後部で操縦ハンドル６の左右グリップ６ａを握って右後輪２の後方の畝溝を歩きながら、メインクラッチレバー２０４を入操作して左右前輪３と左右後輪２を畝溝に沿わせて機体を進行させ、植付昇降レバー２０３を操作して植付クラッチを入操作し且つ機体制御機構を制御状態にして、移植作業を行なう。この時、左右往復移動する苗載台９０の苗トレイＴから苗取出爪４１が苗を一つずつ取出して苗植付具４２へ落下投入する。そして、苗植付具４２が畝に苗を植付けた後に、左右一対の鎮圧輪１８０がその苗の左右側部を軽く鎮圧する。
【００８１】
そして、特に、上下方向に往復動して圃場に苗を植付ける苗植付装置５と苗載台９０から苗を取出して下方に位置する苗植付装置５に移送する苗取装置４３とを装備した苗移植機において、苗植付装置５への植付駆動伝動系Ｄ１を機体の左側方に配置すると共に、苗取装置４３への苗取出し駆動伝動系Ｄ２を機体の右側方に配置した苗移植機としたので、植付駆動伝動系Ｄ１と苗取出し駆動伝動系Ｄ２とが機体の左右両側に振り分けて配設され、苗植付装置５と苗取装置４３との駆動伝動系が合理的で簡潔な構成となり、小型でコンパクトな構成となって、機械の操縦及び操作性（機体の取扱い性）が非常に良くて、能率の良い良好な苗の移植作業が行なえる。また、小型の機体構成であるから、その収納保管場所も狭くて良く優れている。
【００８２】
また、側面視において、植付部ミッションケース３０は走行部ミッションケース７から上向きに設けられ、且つ第一植付伝動ケース３１は植付部ミッションケース３０の上端部から後方下向きに設けられ、且つ第二植付伝動ケース３２は第一植付伝動ケース３１の下端部から水平方向に設けられているので、機体の前後長を必要以上に長くすることなく、第二植付伝動ケース３２の下側に前記天秤杆２２が移動するためのスペースを確保することができ、機体の前後長を短くした非常にコンパクトで簡潔な構成となっている。
【００８３】
更に、植付部ミッションケース３０の左側方に機体前後方向に配置した第一植付伝動ケース３１と第二植付伝動ケース３２とにて苗植付装置５への植付駆動伝動系Ｄ１を構成すると共に、植付部ミッションケース３０の右側方に苗取装置４３の伝動ケース５０へ動力を伝動する伝動部を配置して苗取装置４３への苗取出し駆動伝動系Ｄ２を構成したので、植付部ミッションケース３０から苗植付装置５と苗取装置４３との駆動伝動構成を植付部ミッションケース３０を母体にして簡潔に構成できる。
【００８４】
更に、苗載台９０から苗を取出す苗取装置４３への苗取出し駆動伝動系Ｄ２を機体の右側方に配置すると共に、該苗取出し駆動伝動系Ｄ２から苗載台９０を左右動する苗載台駆動系Ｄ３を設け、該苗載台駆動系Ｄ３を苗取出し駆動伝動系Ｄ２と同じ右側に配置した苗移植機としたので、関連のある苗取装置４３の駆動伝動系と苗載台９０を左右動する駆動伝動系が直列状となり、苗取装置４３と苗載台９０との駆動伝動が簡潔で安定したものとなり、苗載台９０から苗取装置４３が確実に苗を取出すことができ、苗の植付性能が良い。
【００８５】
図１９は他の鎮圧装置３１０を示す側面図であって、苗植付具４２の上下動に連携する連係リンク３１１を介して、苗植付具４２の上下動に連動して鎮圧装置３１０が上下動して、圃場に植えた苗やラッキョウ等の移植物の左右及び前後の圃場面４箇所を側面視Ｖ型の叩き部３１２が叩いて鎮圧する構成となっている。この鎮圧装置３１０であると、圃場に植えた苗やラッキョウ等の移植物の左右及び前後の圃場面４箇所（移植物の周囲の４箇所を叩いて鎮圧するので、適確に鎮圧作業が行える。
【００８６】
図２０は他の苗植付具４２を示し、前記の苗植付具４２は下端が左右に開いて苗やラッキョウ等の移植物を圃場に植付ける構成を示したが、この例は、苗植付具４２の下端部の側壁４２ｃが平面視で苗植付具４２の中心を回動軸心として回転し、苗やラッキョウ等の移植物を圃場に植付ける構成である。前記の左右開閉式の場合は閉じる時に大きな音がして周囲の環境に騒音問題をおこすことがあるが、このように回転開放式にすると、大きな音が発生することがなく環境上で優れている。また、側壁４２ｃの回転により移植物の側方が完全に開放されるので、移植物の植付け姿勢も良好となり適切な移植作業が行える。
【００８７】
尚、上記実施例においては、畝に移植する作業例を示したが、平らな圃場に苗を移植する場合も同様である。また、野菜苗としては、キャベツや白菜等の葉菜類の苗・大根やさつま芋等の根菜類の苗・南瓜や西瓜等の果菜類の苗が挙げられるが、他に、い草や花等の如何なる苗でも良い。
【図面の簡単な説明】
【００８８】
【図１】野菜移植機の全体側面図である。
【図２】走行部と植付部の連結部分の斜視図である。
【図３】センサ１９２部の斜視図である。
【図４】苗取装置４３部の側面図である。
【図５】苗取装置４３部の平面図である。
【図６】（ａ）苗取出爪４１の拡大図、（ｂ）Ａ−Ａ断面図である。
【図７】苗載台９０の平面図である。
【図８】苗トレイ移動装置部の平面断面図である。
【図９】苗載台９０の作用説明側面断面図である。
【図１０】苗載台９０の作用説明平面図である。
【図１１】苗載台９０の作用説明正面断面図である。
【図１２】規制手段１１６の作用説明斜視図である。
【図１３】横移動量の切換え機構部の伝動構造を示す側面断面図である。
【図１４】横移動量の切換え機構部の伝動構造を示す平面断面展開図である。
【図１５】横移動切換えレバー１３７部の平面図である。
【図１６】油圧回路図である。
【図１７】苗植付装置５の側面図である。
【図１８】苗植付装置５の平面図である。
【図１９】他の鎮圧装置を示す側面図である。
【図２０】他の苗植付具を示す作用説明拡大図である。
【符号の説明】
【００８９】
１ａ  走行部
２  駆動走行車輪（走行車輪）
４  苗供給装置
５  苗植付装置
６  操縦ハンドル
７  走行部ミッションケース
９  原動機（エンジン）
３０  植付部ミッションケース
４２  苗植付具
４３  苗取装置
Ｔ  苗トレイ
【図１】
2009284797.tif 000003
【図２】
2009284797.tif 000004
【図３】
2009284797.tif 000005
【図４】
2009284797.tif 000006
【図５】
2009284797.tif 000007
【図６】
2009284797.tif 000008
【図７】
2009284797.tif 000009
【図８】
2009284797.tif 000010
【図９】
2009284797.tif 000011
【図１０】
2009284797.tif 000012
【図１１】
2009284797.tif 000013
【図１２】
2009284797.tif 000014
【図１３】
2009284797.tif 000015
【図１４】
2009284797.tif 000016
【図１５】
2009284797.tif 000017
【図１６】
2009284797.tif 000018
【図１７】
2009284797.tif 000019
【図１８】
2009284797.tif 000020
【図１９】
2009284797.tif 000021
【図２０】
2009284797.tif 000022